(57)【要約】【課題】  余白印刷データと主印刷データとがテープ上に連続印刷された部分を一体として使用することができるテープ印刷装置を提供すること。【解決手段】  サーマルヘッド１８による通常印刷部分７２の印刷の終了時から、当該テープ７０の通常印刷部分７２の最終端がフルカッター部２３を通過するまでの間に、サーマルヘッド１８を通過する当該テープ７０上に、次に印刷される通常印刷部分７２の通常印刷データと関連する余白印刷データが余白印刷部分７１として印刷されるため、サーマルヘッド１８とフルカッター部２３との間の所定距離Ｌだけ生じる当該テープ７０の余白部分には、当該テープ７０の余白印刷部分７１として、次に印刷される通常印刷部分７２の通常印刷データと関連する余白印刷データを印刷することが可能となる。よって、余白印刷部分７１と通常印刷部分７２とが一体となった印刷済みテープ７３を使用できる。【選択図】  図７
2005096103.tif 000002
【特許請求の範囲】
【請求項１】
テープ送り機構と、前記テープ送り機構により送られたテープ上に主印刷データの印刷を行う印刷機構と、前記印刷機構から所定距離だけ離れた位置にあるテープカット機構と、前記印刷機構による主印刷データの印刷の終了時から、当該テープ上に印刷された主印刷データの最終端が前記テープカット機構を通過するまでの間に、前記テープ送り機構により当該テープを送るテープ印刷装置において、
前記印刷機構による主印刷データの印刷の終了時から、当該テープ上に印刷された主印刷データの最終端が前記テープカット機構を通過するまでの間に、前記印刷機構を通過する当該テープ上に、次に印刷される主印刷データと関連する余白印刷データを印刷させる第１余白印刷を実行させるため、前記印刷機構を制御するテープ余白印刷手段を有すること、を特徴とするテープ印刷装置。
【請求項２】
請求項１に記載するテープ印刷装置において、
前記印刷機構によって主印刷データが当該テープ上に始めて印刷されるか否かを判断する判断手段を備え、
前記判断手段により始めて印刷されると判断された場合には、前記テープ余白印刷手段は、主印刷データが印刷される前までに、前記印刷機構を通過する当該テープ上に余白印刷データを印刷させる第２余白印刷を実行させるため、前記印刷機構を制御すること、を特徴とするテープ印刷装置。
【請求項３】
請求項２に記載するテープ印刷装置において、
前記テープ余白印刷手段による第２余白印刷を実行するか否かを選択できる第１選択手段を備えたこと、を特徴とするテープ印刷装置。
【請求項４】
請求項１乃至請求項３のいずれか一つに記載するテープ印刷装置において、
受信データを余白印刷データとして使用するためのデータ受信手段を備えたこと、を特徴とするテープ印刷装置。
【請求項５】
請求項１乃至請求項３のいずれか一つに記載するテープ印刷装置において、
入力データを余白印刷データとして使用するためのデータ入力手段を備えたこと、を特徴とするテープ印刷装置。
【請求項６】
請求項４又は請求項５に記載するテープ印刷装置において、
前記受信データ又は前記入力データを記憶し、記憶したデータを余白印刷データとして使用するための余白印刷データ記憶手段を備えたこと、を特徴とするテープ印刷装置。
【請求項７】
請求項１乃至請求項６のいずれか一つに記載するテープ印刷装置において、
当該テープに印刷された余白印刷データと主印刷データとの間で前記テープカット機構を動作させるか否かを選択できる第２選択手段を備えたこと、を特徴とするテープ印刷装置。
【発明の詳細な説明】
【技術分野】
【０００１】
本発明は、印刷機構とテープカット機構とが所定距離だけ離間することによって生じるテープの余白部分に印刷を行うテープ印刷装置に関するものである。
【背景技術】
【０００２】
従来のテープ印刷装置には、印刷機構とテープカット機構とが所定距離だけ離間することによって生じるテープの余白部分に対して、マーク等の印刷を行うことにより、テープの有効利用を図ることができるものがある。この点、テープの余白部分に印刷されるマーク等には、予め登録された音符等のマークの他に、使用者が独自に作成・登録したデータがあり、そのデータには、例えば、カレンダー、所属名、連絡先（住所、電話番号）、管理者名、会社のゴロ・マーク等がある（例えば、特許文献１参照）。
【特許文献１】特開平７−２０５５２９号公報（第５頁、第７図）
【発明の開示】
【発明が解決しようとする課題】
【０００３】
しかしながら、テープの余白部分に印刷されるマーク等は、テープの余白部分以外に印刷されるラベルの内容と直接には無関係であることが多い。従って、マーク等が印刷されたテープの余白部分は、ラベルが印刷されたテープからカットされて、ワンポイントとして使用されることから、ラベルが印刷されたテープの余白部分以外と一体で使用することができなかった。
【０００４】
そこで、本発明は、上述した点を鑑みてなされたものであり、余白印刷データと主印刷データとがテープ上に連続印刷された部分を一体として使用することができるテープ印刷装置を提供することを課題とする。
【課題を解決するための手段】
【０００５】
この課題を解決するために成された請求項１に係る発明は、テープ送り機構と、前記テープ送り機構により送られたテープ上に主印刷データの印刷を行う印刷機構と、前記印刷機構から所定距離だけ離れた位置にあるテープカット機構と、前記印刷機構による主印刷データの印刷の終了時から、当該テープ上に印刷された主印刷データの最終端が前記テープカット機構を通過するまでの間に、前記テープ送り機構により当該テープを送るテープ印刷装置において、前記印刷機構による主印刷データの印刷の終了時から、当該テープ上に印刷された主印刷データの最終端が前記テープカット機構を通過するまでの間に、前記印刷機構を通過する当該テープ上に、次に印刷される主印刷データと関連する余白印刷データを印刷させる第１余白印刷を実行させるため、前記印刷機構を制御するテープ余白印刷手段を有すること、を特徴としている。
【０００６】
また、請求項２に係る発明は、請求項１に記載するテープ印刷装置において、前記印刷機構によって主印刷データが当該テープ上に始めて印刷されるか否かを判断する判断手段を備え、前記判断手段により始めて印刷されると判断された場合には、前記テープ余白印刷手段は、主印刷データが印刷される前までに、前記印刷機構を通過する当該テープ上に余白印刷データを印刷させる第２余白印刷を実行させるため、前記印刷機構を制御すること、を特徴としている。
【０００７】
また、請求項３に係る発明は、請求項２に記載するテープ印刷装置において、前記テープ余白印刷手段による第２余白印刷を実行するか否かを選択できる第１選択手段を備えたこと、を特徴としている。
【０００８】
また、請求項４に係る発明は、請求項１乃至請求項３のいずれか一つに記載するテープ印刷装置において、受信データを余白印刷データとして使用するためのデータ受信手段を備えたこと、を特徴としている。
【０００９】
また、請求項５に係る発明は、請求項１乃至請求項３のいずれか一つに記載するテープ印刷装置において、入力データを余白印刷データとして使用するためのデータ入力手段を備えたこと、を特徴としている。
【００１０】
また、請求項６に係る発明は、請求項４又は請求項５に記載するテープ印刷装置において、前記受信データ又は前記入力データを記憶し、記憶したデータを余白印刷データとして使用するための余白印刷データ記憶手段を備えたこと、を特徴としている。
【００１１】
また、請求項７に係る発明は、請求項１乃至請求項６のいずれか一つに記載するテープ印刷装置において、当該テープに印刷された余白印刷データと主印刷データとの間で前記テープカット機構を動作させるか否かを選択できる第２選択手段を備えたこと、を特徴としている。
【発明の効果】
【００１２】
すなわち、請求項１に係る発明のテープ印刷装置では、印刷機構とテープカット機構とが所定距離だけ離れているため、テープ送り機構により送られたテープ上に印刷機構が主印刷データの印刷を行った後において、印刷機構による主印刷データの印刷の終了時から、当該テープ上に印刷された主印刷データの最終端がテープカット機構を通過するまで、テープ送り機構により当該テープが送られると、印刷機構とテープカット機構との間の所定距離だけ当該テープに余白部分が生じることになるが、この点、テープ余白印刷手段が印刷機構を制御することにより、印刷機構による主印刷データの印刷の終了時から、当該テープ上に印刷された主印刷データの最終端がテープカット機構を通過するまでの間に、印刷機構を通過する当該テープ上に、次に印刷される主印刷データと関連する余白印刷データを印刷させる第１余白印刷が実行されるため、印刷機構とテープカット機構との間の所定距離だけ生じる当該テープの余白部分には、その余白部分の次に印刷される主印刷データと関連する余白印刷データを印刷することが可能となるので、余白印刷データと主印刷データとがテープ上に連続印刷された部分を一体として使用することができる。
【００１３】
また、請求項２に係る発明のテープ印刷装置では、印刷機構によって主印刷データが当該テープ上に始めて印刷されると判断手段により判断された場合には、テープ余白印刷手段が印刷機構を制御することにより、印刷機構によって主印刷データが当該テープ上に始めて印刷される前までに、印刷機構を通過する当該テープ上に、次に印刷される主印刷データと関連する余白印刷データを印刷させる第２余白印刷が実行されるので、当該テープ上に始めて印刷される主印刷データに先だって、その主印刷データに関連する余白印刷データを印刷することができる。
【００１４】
また、請求項３に係る発明のテープ印刷装置では、テープ余白印刷手段による第２余白印刷を実行するか否かを選択できる第１選択手段を備えているので、当該テープ上に始めて印刷される主印刷データに先だって、その主印刷データに関連する余白印刷データを連続して印刷させるか否かの選択を行うことができる。
【００１５】
また、請求項４に係る発明のテープ印刷装置では、受信データを余白印刷データとして使用するためのデータ受信手段を備えているので、余白印刷データの種類を豊富にすることができるとともに、余白印刷データを使用者自らが作成しなくても、新たな余白印刷データを用意することができる。
【００１６】
また、請求項５に係る発明のテープ印刷装置では、入力データを余白印刷データとして使用するためのデータ入力手段を備えているので、余白印刷データの種類を豊富にすることができるとともに、新たな余白印刷データを使用者自らが作成することができる。
【００１７】
また、請求項６に係る発明のテープ印刷装置では、受信データ又は入力データを記憶し、記憶したデータを余白印刷データとして使用するための余白印刷データ記憶手段を備えているので、豊富な余白印刷データを持ち合わせることができる。
【００１８】
また、請求項７に係る発明のテープ印刷装置では、当該テープに印刷された余白印刷データと主印刷データとの間でテープカット機構を動作させるか否かを選択できる第２選択手段を備えているので、余白印刷データと主印刷データとがテープ上に連続印刷された部分を一体として使用することができることに加えて、余白印刷データがテープ上に印刷された部分と主印刷データがテープ上に印刷された部分とを分離して使用することもできる。
【発明を実施するための最良の形態】
【００１９】
以下、本発明の実施の形態を図面を参照にして説明する。図１は、本発明の一実施の形態のテープ印刷装置の平面図である。図１に示すように、テープ印刷装置１の本体フレーム２の前部にはキーボード３が配設されている。キーボード３の後方で本体フレーム２内には、印刷済みの積層テープ５を作成し、その積層テープ５を排出する印刷ユニット４が配設されている。この印刷ユニット４は、従来のテープカセット７を収納万能に構成され、その収納部分に対して開閉可能なカセットカバーを備える。また、キーボード３の後方には、文字・記号・画像などの印刷内容を表示可能な液晶ディスプレイ６が設けられている。キーボード３には、アルファベットや平仮名や片仮名を入力するための文字キー、数字キー等のほか、リターンキー、印刷を実行するための印刷開始指示キー、積層テープ５をテープ送りするためのテープ送りキー、余白印刷切り替え設定を行うための余白設定キー、境界カット種を設定するための境界カット種キーなどが設けられている。
【００２０】
図２は、図１の印刷ユニット４の内部構造を詳細に示す図である。本体フレーム２内のカセット収納部フレーム１７には、後述する複数種類のテープを収納したテープカセット７が着脱自在に装着されている。このテープカセット７内には、ＰＥＴ（ポリエチレンテレフタレート）フィルム等の透明な表層テープ８が巻装されたテープスプール９と、インクリボン１０が巻装されたリボン供給スプール１１と、このインクリボン１０を巻き取る巻取りスプール１２と、表層テープ８と同一幅で両面に接着剤層を有する両面接着テープ１３が剥離テープ１４（図３参照）を外側にして巻装された両面接着テープ供給スプール１５と、両面接着テープ１３と表層テープ８とを重ねて接合させる接合ローラ１６とが回動自在に設けられている。
【００２１】
表層テープ８とインクリボン１０が重なる位置の近傍には、図示しない発熱素子群が列設されたサーマルヘッド１８がカセット収納部フレーム１７に取り付けられている。サーマルヘッド１８の発熱素子と対向する位置には、カセット収納部フレーム１７に対して回動可能に立設されたローラホルダ２０にプラテンローラ２１が設けられている。表層テープ８はインクリボン１０と重なった状態でサーマルヘッド１８とプラテンローラ２１との間を通過し、このときプラテンローラ２１がサーマルヘッド１８に向かって付勢されるとともに発熱素子が選択的に通電駆動されることにより、所望のパターンのインクがインクリボン１０から表層テープ８に転写されて表層テープ８への印刷が行われる。
【００２２】
使用済みのインクリボン１０は、サーマルヘッド１８の下流側において巻取りスプール１２に巻き取られる。そして、サーマルヘッド１８を出た印刷済みの表層テープ８は、両面接着テープ１３と重ねられて送りローラ２２と接合ローラ１６との間を通過する。このとき、ローラホルダ２０の先端側に装着された送りローラ２２が接合ローラ１６に向かって付勢されることにより、表層テープ８と両面接着テープ１３とが接着させられる。そして、表層テープ８と両面接着テープ１３とは接着し、積層された積層テープ２４となる。この積層テープ２４は、フルカッター部２３及びハーフカッター部２６を経て、所定長さに切断され又はハーフカットが施されて本体フレーム２の排紙部２７から排出される。なお、巻取りスプール１２、送りローラ２２及び接合ローラ１６は、テープ送りモータ２５により図示しないギヤ機構を介して同期的に回転駆動され、このテープ送りモータ２５の回転を制御することにより表層テープ８、インクリボン１０、両面接着テープ１３及び積層テープ２４がフィード制御される。
【００２３】
図３は、排紙部２７から排出された印刷済みの積層テープ２４の拡大断面図である。積層テープ２４は、上から順番に、表層テープ８、両面接着テープ１３及び剥離テープ１４が積層されて構成されている。ＰＥＴフィルム等の透明な表層パータン８の裏面には、サーマルヘッド１８にて印刷されたインク２９のドット列が文字などの印刷パターンの鏡像となって付着している。両面接着テープ１３は、基材テープ１３ａとその両側に設けられた２つの接着剤層１３ｂ、１３ｃとからなっている。接着剤層１３ｂは表層テープ８のインク２９側に貼り付けられ、接着剤層１３ｃには剥離テープ１４が貼り付けられている。本実施の形態のテープ印刷装置１を用いてこの積層テープ２４に対してハーフカットが行われる際は、後述するように、表層テープ８から接着剤層１３ｃまでの厚さＴ１の部分だけが切断され、厚さＴ２の剥離テープ１４は切断されない。なお、無色透明な表層テープ８と対峙する基材テープ１３ａの表面を種々の色に着色することにより、表層テープ８の背景色を様々に変更することができる。
【００２４】
図２に示されたフルカッター部２３は、固定刃２３ａと、固定刃２３ａの一端側を支点として回動する回動刃２３ｂとにより剪断を行う鋏形式である。本実施の形態において、フルカッター部２３による積層テープ２４の切断分離は、後述するように、ＣＰＵ５２（図６参照）からの命令によりフルカット用モータ６６（図６参照）により自動的に行われる。あるいは、フルカッター部２３は、ユーザがレバー（図示せず）を用いて手動により回動刃２３ｂを回動させて積層テープ２４を切断分離するものであってもよい。
【００２５】
次に、ハーフカッター部２６について、図２、図４及び図５を参照にして説明する。図４は、ハーフカッター部２６の開いた状態での部分正面図であり、図５は、ハーフカッター部２６の閉じた状態での部分背面図である。フルカッター部２３よりも下流側に設けられたハーフカッター部２６は、図２、図４及び図５に示すように、カセット収納部フレーム１７等に固定された金属製の厚板状の受け台３３と、受け台３３の基部に対してカシメピン３４を中心に回動可能に装着された支持部材３５と、この支持部材３５にスポット溶接部３７にて固定された切断刃３６と、支持部材３５を回動させる駆動手段（ハーフカット用モータ６８及びハーフカット用モータ駆動回路６９：図６参照）とを有している。
【００２６】
受け台３３は、その深さが剥離テープ１４の厚さＴ２より僅かに小さい寸法Ｈ２であり且つ剥離テープ１４（積層テープ２４）の幅寸法より広幅の段差部３９と、段差部３９の両側部に設けられた一対の端部３３ａ，３３ｂとを有している。支持部材３５は、その深さが積層テープ２４の全体の厚さＴ３（＝Ｔ１＋Ｔ２）よりも深く且つ積層テープ２４の幅寸法より広幅の段差部４０と、段差部４０の一端で端部３３ａと対向するように設けられた足部３５ａとを有している。切断刃３６は、支持部材３５の足部３５ａが端部３３ａと当接するときに同じく端部３３ａ，３３ｂと当接するように位置合わせされている。
【００２７】
ハーフカッター部２６で積層テープ２４をハーフカットする際は、積層テープ２４は剥離テープ１４側が受け台３３の段差部３９と当接して配置されるようになっている。従って、支持部材３５を駆動手段により回動させて、ハーフカッター部２６を閉じると、積層テープ２４のうち、端部３３ａ，３３ｂの縁面を結ぶ線よりも支持部材３５方向に突出している部分、すなわち厚さＴ１の部分だけが切断される。これにより、積層テープ２４のハーフカットが実現される。
【００２８】
また、ハーフカッター部２６は、切断刃３６を回動中心であるカシメピン３４の回りに回動させて積層テープ２４をハーフカットするものであるから、切断時には切断刃３６の刃先と積層テープ２４との隙間がカシメピン３４に近い側から順に狭くなっていく。従って、切断刃３６の刃先は積層テープ２４のカシメピン３４に近い側の縁から順に積層テープ２４に当たって、いわば鋏のように積層テープ２４を切断できる。よって、切断刃３６の刃先が積層テープ２４の幅方向全体にわたって同時に当たって切断する、いわゆる押し切りの場合に比べて、積層テープ２４の切断に要する駆動力が少なくて済む。そのため、本実施の形態のテープ印刷装置１は、ハーフカッター部２６の駆動手段がコンパクトとなり、その駆動モータを出力の小さいものにできて、低コスト化を図ることができるとい顕著な効果を奏する。
【００２９】
図６は、本実施の形態のテープ印刷装置１のブロック図である。テープ印刷装置１の動作は、制御部５０によって制御される。制御部５０は、ＣＰＵ５２、ＲＯＭ５３、揮発性の記憶装置５４、ＣＧＲＯＭ５５、入出力インターフェイス５６及びＦＬＡＳＨ・ＲＯＭ５８を含んでおり、これらはバス５７を介して互いに接続されている。ＲＯＭ５３には、液晶ディスプレイ６の表示制御プログラム、サーマルヘッド１８やテープ送りモータ２５などの駆動制御プログラムなどテープ印刷装置１を動作させるために必要なプログラムやその他必要なデータなどが格納されている。ＣＧＲＯＭ５５には、多数のキャラクタに関するドットパターンデータが格納されている。
【００３０】
記憶装置５４には、通常印刷の内容（後述する通常印刷データ）を記憶する通常印刷バッファ領域５４ａ及び、余白印刷の内容（後述する余白印刷データ）を記憶する余白印刷バッファ領域５４ｂ、ＣＰＵ５２の演算結果を一時的に格納するワーク領域５４ｃ（後述する１枚目フラグや切り替えフラグ）などが設けられている。ＦＬＡＳＨ・ＲＯＭ５８には、ＰＣにより外部から受信したデータ（後述する通常印刷データや余白印刷データなどを含む）を記憶する領域などが確保されている。
【００３１】
入出力インターフェイス５６には、キーボード３、テープカセット７のカセット収納部フレーム１７への装着の有無と装着されたテープカセット７の種別を検出するための第１センサ、印刷ユニット４のカセットカバーの開閉を検出するための第２センサ６１、フルカッター部２３の回転刃２３ｂの位置を検出するためのカッターセンサー６２、液晶ディスプレイ６に接続されたディスプレイコントローラ（ＬＣＤＣ）６３、サーマルヘッド１８を駆動するヘッド駆動回路６４、テープ送りのためのテープ送りモータ２５を駆動するテープ送り用モータ駆動回路６５、フルカッター部２３のフルカット用モータ６６を駆動するフルカット用モータ駆動回路６７、ハーフカット部２６のハーフカット用モータ６８を駆動するハーフカット用モータ駆動回路６９とがそれぞれ接続されている。なお、入出力インターフェイス５６に接続された上述の各部材は、キーボード３や液晶ディスプレイ６を除いて図１〜図５には示されていない。
【００３２】
次に、本実施の形態のテープ印刷装置１の動作について説明する。本実施の形態のテープ印刷装置１では、例えば、図１６に示すように、余白印刷データが印刷された余白印刷部分７１と通常印刷データが印刷された通常印刷部分７２とが一体となった印刷済みテープ７３を作成することができる。尚、図１６では、余白印刷データとして、商店名や、郵便番号、住所、電話番号、ＦＡＸ番号が印刷され、通常印刷データとして、「お試し券」の文字や、会員番号、顧客名が印刷されており、余白印刷データと通常印刷データは互いに関連する内容になっている。
【００３３】
そして、図１６に示す印刷済みテープ７３を作成する手順は、本体フレーム４内のカセット収納部フレーム１７にテープカセット７が装着された直後において作成する場合には、図７の手順と図８の手順の２通りがある。尚、図７と図８では、説明の便宜上、テープカセット７に収納された複数種類のテープをひとまとめにし、テープ７０として記載している。さらに、図７（ｃ）と図８（ｂ）では、説明の便宜上、フルカッター部２３及びハーフカッター部２６を一つのマークで表している。
【００３４】
ここで、図７の手順について説明すると、本体フレーム４内のカセット収納部フレーム１７にテープカセット７が装着された直後においては、テープカセット７に収納されたテープ７０の先端がフルカッター部２３と対向する位置にあることから、図７（ａ）に示すように、サーマルヘッド１８とフルカッター部２３との間隔である所定距離Ｌの長さをもって、サーマルヘッド１８で印刷することができないテープ７０の見切部分７４が発生する（図２参照）。そして、図７（ｂ）に示すように、テープ７０の一部がサーマルヘッド１８を通過し、その間、余白印刷部分７１への余白印刷データの印刷が行われ、見切部分７４の後端（余白印刷部分７１の先端でもある）がフルカッター部２３に到達すると、フルカッター部２３でフルカットが行われ、テープ７０から見切部分７４が切り離される。
【００３５】
そして、図７（ｃ）に示すように、テープ７０の一部がさらにサーマルヘッド１８を通過し、通常印刷部分７２への通常印刷データの印刷が開始され、テープ７０の余白印刷部分７１と通常印刷部分７２の境界がハーフカッター部２６に到達すると、ハーフカッター部２６によるハーフカットが行われる。尚、ユーザーの選択によっては、ハーフカッター部２６によりハーフカットが行われない場合もある。また、ユーザーの選択によっては、テープ７０の余白印刷部分７１と通常印刷部分７２の境界がフルカッター部２３に到達した際に、フルカッター部２３によるフルカットを行うことも可能である。その後は、図７（ｄ）に示すように、テープ７０の一部がさらにサーマルヘッド１８を通過し、通常印刷部分７２への通常印刷データの印刷が終了する。そして、図７（ｅ）に示すように、テープ７０の一部がさらにサーマルヘッド１８を通過し、次の余白印刷部分７１への余白印刷データの印刷が終了すると、フルカッター部２３によるフルカットが行われ、余白印刷部分７１と通常印刷部分７２とが一体となった印刷済みテープ７３が、テープ７０から切り離される。尚、図７の手順では、図７（ｃ）において、ハーフカッター部２６により、余白印刷部分７１と通常印刷部分７２との境界でハーフカットが行われる。このハーフカットが行われたことを、説明の便宜上、図７（ｄ），（ｅ）では二点鎖線で示す。
【００３６】
また、図８の手順について説明すると、本体フレーム４内のカセット収納部フレーム１７にテープカセット７が装着された直後においては、テープカセット７に収納されたテープ７０の先端がフルカッター部２３と対向する位置にあることから、図８（ａ）に示すように、サーマルヘッド１８とフルカッター部２３との間隔である所定距離Ｌの長さをもって、サーマルヘッド１８で印刷することができないテープ７０の見切部分７４が発生する（図２参照）。そして、図８（ｂ）に示すように、テープ７０の一部がサーマルヘッド１８を通過し、通常印刷部分７２への通常印刷データの印刷が開始され、テープ７０の見切部分７４と通常印刷部分７２の境界がフルカッター部２３に到達すると、フルカッター部２３によるフルカットが行われ、テープ７０から見切部分７４が切り離される。
【００３７】
その後は、図８（ｃ）に示すように、テープ７０の一部がさらにサーマルヘッド１８を通過し、通常印刷部分７２への通常印刷データの印刷が終了する。そして、図８（ｄ）に示すように、テープ７０の一部がさらにサーマルヘッド１８を通過し、余白印刷部分７１への余白印刷データの印刷が終了すると、フルカッター部２３によるフルカットが行われ、テープ７０から通常印刷部分７２が切り離される。その後は、上述した図７（ｃ），（ｄ），（ｅ）を順に行って、余白印刷部分７１と通常印刷部分７２とが一体となった印刷済みテープ７３が、テープ７０から切り離される。
【００３８】
従って、図７と図８の手順における共通点は、最初に、テープ７０から見切部分７４が切り離される点である（図７（ｂ）と図８（ｂ）参照）。一方、図７と図８の手順によって生じる相違点は、図８の手順では、テープ７０の見切部分７４の次に通常印刷部分７２が作成されるため、テープ７０から通常印刷部分７２のみを一度切り離した後でなければ（図８（ｄ）参照）、余白印刷部分７１と通常印刷部分７２とが一体となった印刷済みテープ７３を作成できないが、図７の手順では、テープ７０の見切部分７４の次に余白印刷部分７１が作成されるため、テープ７０から通常印刷部分７２のみを一度も切り離すことなく、余白印刷部分７１と通常印刷部分７２とが一体となった印刷済みテープ７３を作成できる点にある。
【００３９】
そして、上述した動作は、ＲＯＭ５３から供給されたプログラムなどに基づいて、ＣＰＵ５２からの命令によって行われる。図９〜図１５は、当該プログラムを説明するためのフローチャートである。すなわち、本実施の形態のテープ印刷装置１では、電源スイッチがオンされると、図９のフローチャートで示されるプログラムが実行され、先ず、ステップ（以下、「Ｓ」と記す）１１において、イニシャル処理が行われる。イニシャル処理のフローチャートを図１０に示す。図１０に示すように、イニシャル処理では、Ｓ１１１において、記憶装置５４のワーク領域５４ｃに確保された１枚目フラグをオンし、さらに、Ｓ１１２において、その他の初期化（例えば、記憶装置５４のワーク領域５４ｃに確保された切り替えフラグをオンとすることなど）を行った後、イニシャル処理を終了する。
【００４０】
図１０のイニシャル処理が終了した後は、図９のＳ１２に進んで、テープ交換検出処理が行われる。テープ交換検出処理のフローチャートを図１１に示す。図１１に示すように、テープ交換検出処理では、Ｓ１２１において、テープ交換があるか否かを判断する。具体的には、第１及び第２センサ６０，６１などからテープカセット７が交換されたか否かを判断している。このとき、テープ交換があると判断する場合には（Ｓ１２１：ＹＥＳ）、Ｓ１２２に進んで、記憶装置５４のワーク領域５４ｃに確保された１枚目フラグをオンした後、テープ交換検出処理を終了する。一方、テープ交換がないと判断する場合には（Ｓ１２１：ＮＯ）、何もすることなく、テープ交換検出処理を終了する。
【００４１】
図１１のテープ交換検出処理が終了した後は、図９のＳ１３に進んで、キー又はＩ／Ｆコマンドの入力があるか否かを判断する。具体的には、入出力インターフェイス６を介して、キーボード３のキーからの入力信号又はＰＣからの入力信号などが転送されたか否かを判断している。このとき、キー又はＩ／Ｆコマンドの入力がないと判断する場合には（Ｓ１３：ＮＯ）、Ｓ１２に戻って、上述した処理を繰り返す一方、キー又はＩ／Ｆコマンドの入力があると判断する場合には（Ｓ１３：ＹＥＳ）、Ｓ１４に進む。
【００４２】
次のＳ１４では、余白印刷データであるか否かを判断する。具体的には、上記Ｓ１３で判断対象となったキーボード３のキーからの入力信号又はＰＣからの入力信号などが余白印刷データであるか否かを判断している。このとき、余白印刷データであると判断する場合には（Ｓ１４：ＹＥＳ）、Ｓ１５に進んで、余白印刷データバッファリング処理を行い、記憶装置５４の余白印刷バッファ領域５４ｂに当該余白印刷データを保持した後で、後述するＳ１６に進む。一方、余白印刷データでないと判断する場合には（Ｓ１４：ＮＯ）、Ｓ２１に進む。
【００４３】
尚、余白印刷データとは、具体的に言えば、上述した図１６では、余白印刷部分７１に印刷された商店名や、郵便番号、住所、電話番号、ＦＡＸ番号をいう。そして、余白印刷データは、キーボード３のキーにより入力されたり、ＰＣから受信されたり、キーボード３のキーにより入力された指令により、ＲＯＭ５３又はＣＧＲＯＭ５５に予め記憶された複数のデータの中から選択されたりすることにより、記憶装置５４の余白印刷バッファ領域５４ｂに転送される。
【００４４】
次のＳ２１では、通常印刷データであるか否かを判断する。具体的には、上記Ｓ１３で判断対象となったキーボード３のキーからの入力信号又はＰＣからの入力信号などが通常印刷データであるか否かを判断している。このとき、通常印刷データであると判断する場合には（Ｓ２１：ＹＥＳ）、Ｓ２２に進んで、余白印刷データバッファリング処理を行い、記憶装置５４の通常印刷バッファ領域５４ａに当該通常印刷データを保持した後で、後述するＳ１６に進む。一方、通常印刷データでないと判断する場合には（Ｓ２１：ＮＯ）、Ｓ３１に進む。
【００４５】
尚、通常印刷データとは、具体的に言えば、上述した図１６では、通常印刷部分７２に印刷された「お試し券」の文字や、会員番号、顧客名をいう。そして、通常印刷データは、キーボード３のキーにより入力されたり、ＰＣから受信されたり、キーボード３のキーにより入力された指令により、ＲＯＭ５３又はＣＧＲＯＭ５５に予め記憶された複数のデータの中から選択されたりすることにより、記憶装置５４の通常印刷バッファ領域５４ａに転送される。
【００４６】
次のＳ３１では、印刷開始指示であるか否かを判断する。具体的には、上記Ｓ１３で判断対象となったキーボード３のキーからの入力信号又はＰＣからの入力信号などが印刷開始指示を意味する信号であるか否かを判断している。このとき、印刷開始指示であると判断する場合には（Ｓ３１：ＹＥＳ）、Ｓ３２に進んで、印刷処理を行った後で、後述するＳ１６に進む。尚、説明の便宜上、Ｓ３２の印刷処理の詳細は後述する。一方、印刷開始指示でないと判断する場合には（Ｓ３１：ＮＯ）、Ｓ４１に進む。
【００４７】
次のＳ４１では、余白印刷切り替え設定であるか否かを判断する。具体的には、上記Ｓ１３で判断対象となったキーボード３のキーからの入力信号又はＰＣからの入力信号などが余白印刷切り替え設定を意味する信号であるか否かを判断している。このとき、余白印刷切り替え設定であると判断する場合には（Ｓ４１：ＹＥＳ）、Ｓ４２に進んで、余白印刷切り替え設定処理を行い、記憶装置５４のワーク領域５４ｃに確保された切り替えフラグをオン又はオフした後で、後述するＳ１６に進む。一方、余白印刷切り替え設定でないと判断する場合には（Ｓ４１：ＮＯ）、Ｓ５１に進む。
【００４８】
次のＳ５１では、境界カット種設定であるか否かを判断する。具体的には、上記Ｓ１３で判断対象となったキーボード３のキーからの入力信号又はＰＣからの入力信号などが境界カット種設定を意味する信号であるか否かを判断している。このとき、境界カット種設定であると判断する場合には（Ｓ５１：ＹＥＳ）、Ｓ５２に進んで、境界カット種設定処理を行い、フルカット・ハーフカット・カットなしのいずれを行うかを記憶する。具体的には、例えば、記憶装置５４のワーク領域５４ｃに確保した３つのフラグをオン・オフすることにより行う。その後は、後述するＳ１６に進む。一方、境界カット種設定でないと判断する場合には（Ｓ５１：ＮＯ）、Ｓ６１に進んで、その他の処理を行った後に、後述するＳ１６に進む。
【００４９】
次に、上述したＳ３２の印刷処理について説明する。印刷処理のフローチャートを図１２に示す。図１２に示すように、印刷処理では、Ｓ１３１において、テキストコードであるか否かを判断する。具体的には、上記Ｓ１３で判断対象となったキーボード３のキーからの入力信号又はＰＣからの入力信号などがテキストコードであるか否かを判断する。このとき、テキストコードであると判断する場合には（Ｓ１３１：ＹＥＳ）、Ｓ１３２に進んで、イメージ作成処理を行った後、Ｓ１３３に進む。一方、テキストコードでないと判断する場合には（Ｓ１３１：ＮＯ）、何もすることなく、Ｓ１３３に進む。
【００５０】
次のＳ１３３では、１枚目フラグがオンであるか否かを判断する。具体的には、記憶装置５４のワーク領域５４ｃに確保された１枚目フラグがオンであるか否かを判断している。このとき、１枚目フラグがオフであると判断する場合には（Ｓ１３３：ＮＯ）、何もすることなく、Ｓ１３６に進む。一方、１枚目フラグがオンであると判断する場合には（Ｓ１３３：ＹＥＳ）、Ｓ１３４に進んで、１枚目フラグのオフ処理を行い、すなわち、記憶装置５４のワーク領域５４ｃに確保された１枚目フラグをオフした後に、Ｓ１３５に進む。
【００５１】
次のＳ１３５では、余白データ印刷処理が行われる。尚、説明の便宜上、Ｓ１３５の余白データ印刷処理の詳細は後述する。Ｓ１３５の余白データ印刷処理が終了した後は、Ｓ１３６に進んで、通常データ印刷処理が行われる。尚、説明の便宜上、Ｓ１３６の通常データ印刷処理の詳細は後述する。そして、Ｓ１３６の通常データ印刷処理が終了した後は、Ｓ１３７に進んで、余白データ印刷処理を行う。Ｓ１３７の余白データ印刷処理は、上述したＳ１３５の余白データ印刷処理と同じである。そして、Ｓ１３７の余白データ印刷処理が終了すると、図１２の印刷処理は終了する。
【００５２】
次に、図１２のＳ１３５及びＳ１３７の余白データ印刷処理について説明する。余白データ印刷処理のフローチャートを図１３に示す。図１３に示すように、余白データ印刷処理では、Ｓ１５１において、余白印刷切り替え設定はオンか否かを判断する。具体的には、記憶装置５４のワーク領域５４ｃに確保された切り替えフラグがオンか否かを判断している。このとき、余白印刷切り替え設定はオンであると判断する場合には（Ｓ１５１：ＹＥＳ）、Ｓ１５２に進んで、余白印刷データがあるか否かを判断する。具体的には、記憶装置５４の余白印刷バッファ領域５４ｂに余白印刷データが保持されているか否かを判断している。
【００５３】
このとき、余白印刷データがあると判断する場合には（Ｓ１５２：ＹＥＳ）、Ｓ１５３に進んで、印刷制御処理を行い、テープ送りモータ２５によりテープ７０がサーマルヘッド１８を通過することにより、当該テープ７０上に余白印刷データが印刷され、その後に、Ｓ１５５に進む。一方、余白印刷切り替え設定はオフであると判断する場合（Ｓ１５１：ＮＯ）や、余白印刷データがないと判断する場合には（Ｓ１５２：ＮＯ）、Ｓ１５６に進んで、余白送り処理を行い、テープ送りモータ２５によりテープ７０が所定距離Ｌだけ送られ、その後に、Ｓ１５５に進む。次のＳ１５５では、カット処理を行い、フルカッター部２３によるフルカットをテープ７０に対して行った後、余白データ印刷処理を終了する。
【００５４】
次に、図１２のＳ１３６の通常データ印刷処理について説明する。図１４は、通常データ印刷処理のフローチャート図である。図１４に示すように、通常データ印刷処理では、Ｓ１６１において、通常印刷データがあるか否かを判断する。具体的には、記憶装置５４の通常印刷バッファ領域５４ａに通常印刷データが保持されているか否かを判断している。このとき、通常印刷データがないと判断する場合には（Ｓ１６１：ＮＯ）、通常データ印刷処理を終了する。一方、通常印刷データがあると判断する場合には（Ｓ１６１：ＹＥＳ）、Ｓ１６２に進んで、印刷制御処理を行い、テープ送りモータ２５によりテープ７０がサーマルヘッド１８を通過することにより、当該テープ７０上に通常印刷データの印刷が開始され、その後に、Ｓ１６３に進む。
【００５５】
次のＳ１６３では、境界カット位置であるか否かを判断している。具体的には、テープ送りモータ２５によりフルカッター部２３又はハーフカッター部２６を通過している現在のテープ７０の位置が、余白印刷部分７１と通常印刷部分７２の境界であるか否かを判断している。このとき、境界カット位置であると判断する場合には（Ｓ１６３：ＹＥＳ）、Ｓ１６４に進んで、境界カット処理を行った後に、Ｓ１６５に進む。尚、説明の便宜上、Ｓ１６４の境界カット処理の詳細は後述する。一方、境界カット位置でないと判断する場合には（Ｓ１６３：ＮＯ）、何もすることなく、Ｓ１６５に進む。
【００５６】
次のＳ１６５では、通常印刷データの印刷終了であるか否かを判断している。具体的には、記憶装置５４の通常印刷バッファ領域５４ａに保持されている通常印刷データの全てが当該テープ７０上に印刷されたか否かで判断している。このとき、全ての通常印刷データが印刷されておらず、通常印刷データの印刷終了でないと判断する場合には（Ｓ１６５：ＮＯ）、Ｓ１６２に戻って、当該テープ７０上に対する通常印刷データの印刷が引き続き行われ、上述したＳ１６３以降の処理を繰り返す。一方、通常印刷データの印刷終了であると判断する場合には（Ｓ１６５：ＹＥＳ）、通常データ印刷処理を終了する。
【００５７】
次に、上述したＳ１６４の境界カット処理について説明する。境界カット処理のフローチャートを図１５に示す。図１５に示すように、境界カット処理では、Ｓ１７１において、境界カットするか否かを判断する。具体的には、例えば、境界カット種設定処理のために記憶装置５４のワーク領域５４ｃに確保した３つのフラグのうち、カットなしのフラグのオン・オフに基づいて判断する。このとき、カットなしのフラグがオンで、境界カットしないと判断する場合には（Ｓ１７１：ＮＯ）、境界カット処理を終了する。一方、カットなしのフラグがオフで、境界カットすると判断する場合には（Ｓ１７１：ＹＥＳ）、Ｓ１７２に進んで、テープ送り停止を行い、テープ送りモータ２５を停止させた後、Ｓ１７３に進む。
【００５８】
次のＳ１７３では、ハーフカットを行うか否かを判断する。具体的には、境界カット種設定処理のために記憶装置５４のワーク領域５４ｃに確保した３つのフラグのうち、ハーフカットのフラグのオン・オフに基づいて判断する。このとき、ハーフカットのフラグがオンで、ハーフカットを行うと判断する場合には（Ｓ１７３：ＹＥＳ）、Ｓ１７４に進んで、ハーフカット処理を行い、ハーフカッター部２６によるハーフカットをテープ７０に対して行った後、次のＳ１７６に進む。一方、ハーフカットのフラグがオフで、ハーフカットを行わないと判断する場合には（Ｓ１７３：ＮＯ）、Ｓ１７５に進んで、フルカット処理を行い、フルカッター部２３によるフルカットをテープ７０に対して行った後、次のＳ１７６に進む。次のＳ１７６では、テープ送り再開を行い、テープ送りモータ２５を再開させた後で、境界カット処理を終了する。
【００５９】
尚、図９において、Ｓ１５の余白印刷データバッファリング処理を行った後や、Ｓ２２の通常印刷データバッファリング処理を行った後、Ｓ３２の印刷処理を行った後、Ｓ４２の余白印刷切り替え設定処理を行った後、Ｓ５２の境界カット種設定処理を行った後、Ｓ６１のその他の処理を行った後は、Ｓ１６に進んで、システム終了か否かを判断する。具体的には、上記Ｓ１３で判断対象となったキーボード３のキーからの入力信号又はＰＣからの入力信号などがシステム終了を意味する信号であるか否かを判断している。このとき、システム終了であると判断する場合には（Ｓ１６：ＹＥＳ）、本実施の形態のテープ印刷装置１のシステムを終了する。一方、システム終了でないと判断する場合には（Ｓ１６：ＮＯ）、Ｓ１２に戻って、上述した処理を繰り返す。
【００６０】
ここで、上述した図７の手順を、図９〜図１５のフローチャートに基づいて説明する。すなわち、本体フレーム４内のカセット収納部フレーム１７にテープカセット７が装着されると、図１１のＳ１２２において、記憶装置５４のワーク領域５４ｃに確保された１枚目フラグがオンされる。このとき、上述したように、テープカセット７に収納されたテープ７０の先端がフルカッター部２３と対向する位置にあることから、図７（ａ）に示すように、サーマルヘッド１８とフルカッター部２３との間隔である所定距離Ｌの長さをもって、サーマルヘッド１８で印刷することができないテープ７０の見切部分７４が発生する（図２参照）。
【００６１】
そして、図１２のＳ１３３では、１枚目フラグがオンであると判断されて（図１２のＳ１３３：ＹＥＳ）、図１２のＳ１３５の余白データ印刷処理を行い、図１３のＳ１５３の印刷制御に進んで、図７（ｂ）に示すように、テープ７０の一部がサーマルヘッド１８を通過し、その際に、余白印刷部分７１への余白印刷データの印刷が行われる。その後、余白印刷部分７１への余白印刷データの印刷が終了すると、図１３のＳ１５５のカット処理に進んで、フルカッター部２３でフルカットが行われ、テープ７０から見切部分７４が切り離される。
【００６２】
その後は、図１２のＳ１３６の通常データ印刷処理を行い、図１４のＳ１６２の印刷制御に進んで、図７（ｃ）に示すように、テープ７０の一部がさらにサーマルヘッド１８を通過し、その際に、通常印刷部分７２への通常印刷データの印刷が開始される。そして、図１４のＳ１６３において、境界カット位置であるか否かの判断が行われ、テープ７０の余白印刷部分７１と通常印刷部分７２の境界がハーフカッター部２６に到達すると（図１４のＳ１６３：ＹＥＳ）、図１４のＳ１６４の境界カット処理を行い、図１５のＳ１７１に進んで、境界カットするか否かの判断を行う。
【００６３】
このとき、図９のＳ５２の境界カット種設定処理において、既に、カットなしの設定を行った場合には、図１５のＳ１７１においては、境界カットしないと判断され（図１５のＳ１７１：ＮＯ）、テープ７０の余白印刷部分７１と通常印刷部分７２の境界に対するカットは行われない。一方、図９のＳ５２の境界カット種設定処理において、既に、ハーフカットの設定を行った場合には、図１５のＳ１７１において、境界カットすると判断され（図１５のＳ１７１：ＹＥＳ）、さらに、図１５のＳ１７３において、ハーフカットであると判断されて（図１５のＳ１７３：ＹＥＳ）、図１５のＳ１７４のハーフカット処理に進み、テープ７０の余白印刷部分７１と通常印刷部分７２の境界に対するハーフカットが行われる。
【００６４】
尚、図９のＳ５２の境界カット種設定処理において、既に、フルカットの設定を行った場合には、図１５のＳ１７１において、境界カットすると判断され（図１５のＳ１７１：ＹＥＳ）、さらに、図１５のＳ１７３において、ハーフカットでないと判断されて（図１５のＳ１７３：ＮＯ）、図１５のＳ１７５のフルカット処理に進み、テープ７０の余白印刷部分７１と通常印刷部分７２の境界に対するフルカットが行われる。その後は、図１４のＳ１６２の印刷制御に戻って、図７（ｄ）に示すように、テープ７０の一部がさらにサーマルヘッド１８を通過し、通常印刷部分７２への通常印刷データの印刷が引き続き行われ、その後に、通常印刷部分７２への通常印刷データの印刷が終了すると、図１４のＳ１６５において、通常印刷データの印刷終了であると判断され（図１４のＳ１６５：ＹＥＳ）、図１２のＳ１３７の余白データ印刷処理に進む。
【００６５】
そして、図１３のＳ１５３の印刷制御に進んで、図７（ｅ）に示すように、テープ７０の一部がサーマルヘッド１８を通過し、次の余白印刷部分７１への余白印刷データの印刷が行われる。その後、次の余白印刷部分７１への余白印刷データの印刷が終了すると、図１３のＳ１５５のカット処理に進んで、フルカッター部２３によるフルカットが行われ、余白印刷部分７１と通常印刷部分７２とが一体となった印刷済みテープ７３が、テープ７０から切り離される。
【００６６】
また、上述した図８の手順を、図９〜図１５のフローチャートに基づいて説明する。尚、図８の手順では、イニシャル処理のＳ１１１が「１枚目フラグＯＦＦ」に変更され、また、テープ交換検出処理が不要となる。先ず、図９のＳ１１のイニシャル処理において、記憶装置５４のワーク領域５４ｃに確保された１枚目フラグがオフされる。そして、本体フレーム４内のカセット収納部フレーム１７にテープカセット７が装着されると、上述したように、テープカセット７に収納されたテープ７０の先端がフルカッター部２３と対向する位置にあることから、図８（ａ）に示すように、サーマルヘッド１８とフルカッター部２３との間隔である所定距離Ｌの長さをもって、サーマルヘッド１８で印刷することができないテープ７０の見切部分７４が発生する（図２参照）。
【００６７】
また、図９のＳ４２の余白印刷切り替え設定処理において、記憶装置５４のワーク領域５４ｃに確保された切り替えフラグをオフする。
【００６８】
そして、図１２のＳ１３３では、１枚目フラグがオフであると判断されて（図１２のＳ１３３：ＮＯ）、図１２のＳ１３６の通常データ印刷処理を行い、図１４のＳ１６２の印刷制御に進んで、図８（ｂ）に示すように、テープ７０の一部がサーマルヘッド１８を通過し、その際に、通常印刷データの印刷が開始される。そして、図１４のＳ１６３において、境界カット位置であるか否かの判断が行われ、テープ７０の見切部分７４と通常印刷部分７２の境界がフルカッター部２３に到達すると（図１４のＳ１６３：ＹＥＳ）、図１４のＳ１６４の境界カット処理を行い、図１５のＳ１７１に進んで、境界カットするか否かの判断を行う。
以後は、図７の手順と同様に、カットなしの設定が行われた場合には、テープ７０の見切部分７４と通常印刷部分７２の境界に対するカットは行われない。また、ハーフカットの設定が行われた場合には、テープ７０の見切部分７４と通常印刷部分７２の境界に対するハーフカットが行われる。また、フルカットの設定が行われた場合には、テープ７０の見切部分７４と通常印刷部分７２の境界に対するフルカットが行われる。図８（ｂ）には、フルカットの設定が行われた場合を示す。
【００６９】
その後は、図１４のＳ１６２の印刷制御に戻って、図８（ｃ）に示すように、テープ７０の一部がさらにサーマルヘッド１８を通過し、通常印刷部分７２への通常印刷データの印刷が引き続き行われ、その後に、通常印刷部分７２への通常印刷データの印刷が終了すると、図１４のＳ１６５において、通常印刷データの印刷終了であると判断され（図１４のＳ１６５：ＹＥＳ）、図１２のＳ１３７の余白データ印刷処理に進む。
【００７０】
そして、図１３のＳ１５３の印刷制御に進んで、図８（ｄ）に示すように、テープ７０の一部がサーマルヘッド１８を通過し、余白印刷部分７１への余白印刷データの印刷が行われる。その後、余白印刷部分７１への余白印刷データの印刷が終了すると、図１３のＳ１５５のカット処理に進んで、フルカッター部２３によるフルカットが行われ、テープ７０から通常印刷部分７２が切り離される。その後は、上述した図７（ｃ），（ｄ），（ｅ）を順に行って、余白印刷部分７１と通常印刷部分７２とが一体となった印刷済みテープ７３が、テープ７０から切り離される。尚、図８の手順において、見切部分７４を必ずフルカットされるように設定することも可能である。
また、図７の手順又は図８の手順のいずれかで印刷するかについては、キーボード３に設けられた印刷モード設定キーにより、どちらの手順を使用するか選択設定できることは言うまでもない。
【００７１】
尚、本実施の形態のテープ印刷装置１では、記憶装置５４の余白印刷バッファ領域５４ｂに余白印刷データを保持しなければ、図１３のＳ１５２において、余白印刷データなしと判断され（図１３のＳ１５２：ＮＯ）、図１３のＳ１５６の余白送り処理が行われて、図１３のＳ１５３の印刷制御が行われることがないので、余白印刷部分７１には何も印刷されていない通常印刷部分７２のみ印刷が行われた印刷済みテープ７３を作成することができる。尚、図９のＳ４２の余白印刷切り替え設定処理において、記憶装置５４のワーク領域５４ｃに確保された切り替えフラグをオフした場合には、図１３のＳ１５１において、余白印刷切り替え設定はオフであると判断され（図１３のＳ１５１：ＮＯ）、図１３のＳ１５６の余白送り処理が行われて、図１３のＳ１５３の印刷制御が行われることがないので、記憶装置５４の余白印刷バッファ領域５４ｂに余白印刷データが保持されていても、余白印刷部分７１には何も印刷されていない通常印刷部分７２のみ印刷が行われた印刷済みテープ７３を作成することができる。
【００７２】
また、本実施の形態のテープ印刷装置１において、本体フレーム４内のカセット収納部フレーム１７にテープカセット７が装着された直後に、図７又は図８の手順により、余白印刷部分７１と通常印刷部分７２とが一体となった印刷済みテープ７３を作成した後は、図７（ｃ）〜図７（ｅ）の手順に従えば、余白印刷部分７１と通常印刷部分７２とが一体となった印刷済みテープ７３を続けて作成することができる。このとき、記憶装置５４の通常印刷バッファ領域５４ａに保持される通常印刷データを変更すれば、２枚目以降の印刷済みテープ７３の通常印刷部分７２の印刷内容を変更させることができるし、記憶装置５４の余白印刷バッファ領域５４ｂに保持される余白印刷データを変更すれば、３枚目以降の印刷済みテープ７３の余白印刷部分７１の印刷内容を変更させることができる。
【００７３】
以上詳細に説明したように、本実施の形態のテープ印刷装置１では、サーマルヘッド１８とフルカッター部２３とが所定距離Ｌだけ離れているため（図７（ａ），図８（ａ）参照）、テープ送りモータ２５により送られたテープ７０の通常印刷部分７２に対してサーマルヘッド１８が通常印刷データの印刷を行った後で、サーマルヘッド１８による通常印刷データの印刷の終了時から、当該テープ７０の通常印刷部分７２の最終端がフルカッター部２３を通過するまで、テープ送りモータ２５により当該テープ７０が送られると、サーマルヘッド１８とフルカッター部２３との間の所定距離Ｌだけ、当該テープ７０に、通常印刷データの印刷が行われていない余白部分が生じることになる。
【００７４】
しかしながら、ＣＰＵ５０がサーマルヘッド１８を制御することにより、サーマルヘッド１８による通常印刷データの印刷の終了時から、当該テープ７０の通常印刷部分７２の最終端がフルカッター部２３を通過するまでの間に、サーマルヘッド１８を通過する当該テープ７０上に、次に印刷される通常印刷部分７２の通常印刷データと関連する余白印刷データが印刷されるため（図７（ｅ），図８（ｄ）参照）、サーマルヘッド１８とフルカッター部２３との間の所定距離Ｌだけ生じる当該テープ７０の余白部分には、当該テープ７０の余白印刷部分７１として、次に印刷される通常印刷部分７２の通常印刷データと関連する余白印刷データを印刷することが可能となるので、余白印刷部分７１と通常印刷部分７２とが一体となった印刷済みテープ７３を使用することができる。
【００７５】
また、本実施の形態のテープ印刷装置１では、サーマルヘッド１８によって通常印刷データが当該テープ７０上に始めて印刷されると判断された場合には（図１２のＳ１３３：ＹＥＳ）、ＣＰＵ５０がサーマルヘッド１８を制御することにより、サーマルヘッド１８によって通常印刷データが当該テープ７０に始めて印刷される前までに、サーマルヘッド１８を通過する当該テープ７０の余白印刷部分７１に対して、次に印刷される通常印刷部分７２の通常印刷データと関連する余白印刷データを印刷することが可能となるので（図７（ｂ），（ｃ），（ｄ）参照）、当該テープ７０に始めて印刷される通常印刷データに先だって、その通常印刷データに関連する余白印刷データを印刷することができる。
【００７６】
また、本実施の形態のテープ印刷装置１では、図９のＳ４２の余白印刷切り替え設定処理において、記憶装置５４のワーク領域５４ｃに確保された切り替えフラグをオフ・オンすることにより、図１２のＳ１３５の余白データ印刷処理を行ったり（図１２のＳ１３３：ＹＥＳ）、図１２のＳ１３５の余白データ印刷処理を行わなかったりすることができるので（図１２のＳ１３３：ＮＯ）、当該テープ７０に始めて印刷される通常印刷データに先だって、その通常印刷データに関連する余白印刷データを連続して印刷させるか否かの選択を行うことができる。
【００７７】
また、本実施の形態のテープ印刷装置１では、ＰＣからの受信データを余白印刷データとして使用するためのインターフェイス５６を備えているので（図６参照）、ＲＯＭ５３やＣＧＲＯＭ５５がなくとも、余白印刷データの種類を豊富にすることができるとともに、余白印刷データをユーザー自らが作成しなくても、新たな余白印刷データを用意することができる。
【００７８】
また、本実施の形態のテープ印刷装置１では、キーボード３からの入力データを余白印刷データとして使用するためのインターフェイス５６を備えているので（図６参照）、ＲＯＭ５３やＣＧＲＯＭ５５がなくとも、余白印刷データの種類を豊富にすることができるとともに、新たな余白印刷データをユーザー自らが作成することができる。
【００７９】
また、本実施の形態のテープ印刷装置１では、ＰＣからの受信データ又はキーボード３からの入力データを記憶し、記憶したデータを余白印刷データとして使用するためのＦＬＡＳＨ・ＲＯＭ５８を備えているので、豊富な余白印刷データを持ち合わせることができる。
【００８０】
また、本実施の形態のテープ印刷装置１では、図９のＳ５２の境界カット種設定処理において、フルカット・ハーフカット・カットなしのいずれを行うかを設定しており、この設定によって、当該テープ７０に対して、余白印刷データが印刷された余白印刷部分７１と主印刷データが印刷された通常印刷部分７２との間で、フルカッター部２３を動作させるか（図１５のＳ１７３：ＮＯ）、又は、ハーフカッター部２６を動作させるか（図１５のＳ１７３：ＹＥＳ）、フルカッター部２３とハーフカッター部２６ともに動作させないか（図１５のＳ１７１：ＮＯ）のいずれかを選択しているので、余白印刷部分７１と通常印刷部分７２とが一体となった印刷済みテープ７３を使用することができることに加えて、余白印刷部分７１と通常印刷部分７２とを分離させて使用することもできる。
【００８１】
尚、本発明は上記実施の形態に限定されるものでなく、その趣旨を逸脱しない範囲で様々な変更が可能である。
例えば、本実施の形態のテープ印刷装置１では、図１６に示すように、印刷済みテープ７３の余白印刷部分７１に印刷される余白印刷データとして、商店名や、郵便番号、住所、電話番号、ＦＡＸ番号が印刷され、印刷済みテープ７３の通常印刷部分７２に印刷される通常印刷データとして、「お試し券」の文字や、会員番号、顧客名が印刷されており、余白印刷データと通常印刷データは互いに関連する内容になっている。この点、図１７に示すように、印刷済みテープ７３の余白印刷部分７１に印刷される余白印刷データとして、「部門」と「氏名」の文字が印刷され、印刷済みテープ７３の通常印刷部分７２に印刷される通常印刷データとして、開発部の名称と人の名前が印刷されてもよい。この場合でも、余白印刷データと通常印刷データは互いに関連する内容になっている。
【００８２】
また、図１８に示すように、印刷済みテープ７３の余白印刷部分７１に印刷される余白印刷データとして、飲食店の地図が印刷され、印刷済みテープ７３の通常印刷部分７２に印刷される通常印刷データとして、当該飲食店における会計内容が印刷されてもよい。この場合でも、余白印刷データと通常印刷データは互いに関連する内容になっている。
【００８３】
また、図１９（ａ）に示すように、印刷済みテープ７３の余白印刷部分７１に印刷される余白印刷データとして、「定価」と「売価」の文字が印刷され、印刷済みテープ７３の通常印刷部分７２に印刷される通常印刷データとして、「￥３９、８００」と「￥２４、８００」の文字が印刷されてもよい。このとき、記憶装置５４の余白印刷バッファ領域５４ｂに保持された余白印刷データを変更させれば、余白印刷データの「売価」の文字を、図１９（ｂ）に示すように、「特価」の文字に変更させることもできる。これらの場合でも、余白印刷データと通常印刷データは互いに関連する内容になっている。
尚、図１６〜図１９中、余白印刷部分７１と通常印刷部分７２との境界を、説明の便宜上、二点鎖線で示したが、この二点鎖線は実際印刷されるものではない。
【産業上の利用可能性】
【００８４】
本発明は、印刷機構とテープカット機構とが所定距離だけ離間することによって生じるテープの余白部分を有効に活用しながらラベルを作成することができ、当該ラベルを券やレーシートなどにも転用し得る。
【図面の簡単な説明】
【００８５】
【図１】本発明の一実施の形態のテープ印刷装置の平面図である。
【図２】印刷ユニットの内部構造を詳細に示す図である。
【図３】排紙部から排出された印刷済みの積層テープの拡大断面図である。
【図４】ハーフカッター部の開いた状態での部分正面図である。
【図５】ハーフカッター部の閉じた状態での部分背面図である。
【図６】本発明の一実施の形態のテープ印刷装置のブロック図である。
【図７】本発明の一実施の形態のテープ印刷装置において、余白印刷データが印刷された余白印刷部分と通常印刷データが印刷された通常印刷部分とが一体となった印刷済みテープの作成手順の一例を示した図である。
【図８】本発明の一実施の形態のテープ印刷装置において、余白印刷データが印刷された余白印刷部分と通常印刷データが印刷された通常印刷部分とが一体となった印刷済みテープの作成手順の一例を示した図である。
【図９】本発明の一実施の形態のテープ印刷装置の動作を説明するためのフローチャートであって、メインフローを示した図である。
【図１０】本発明の一実施の形態のテープ印刷装置の動作を説明するためのフローチャートであって、イニシャル処理を示した図である。
【図１１】本発明の一実施の形態のテープ印刷装置の動作を説明するためのフローチャートであって、テープ交換検出処理を示した図である。
【図１２】本発明の一実施の形態のテープ印刷装置の動作を説明するためのフローチャートであって、印刷処理を示した図である。
【図１３】本発明の一実施の形態のテープ印刷装置の動作を説明するためのフローチャートであって、余白データ印刷処理を示した図である。
【図１４】本発明の一実施の形態のテープ印刷装置の動作を説明するためのフローチャートであって、通常データ印刷処理を示した図である。
【図１５】本発明の一実施の形態のテープ印刷装置の動作を説明するためのフローチャートであって、境界カット処理を示した図である。
【図１６】余白印刷データが印刷された余白印刷部分と通常印刷データが印刷された通常印刷部分とが一体となった印刷済みテープの一例を示した図である。
【図１７】余白印刷データが印刷された余白印刷部分と通常印刷データが印刷された通常印刷部分とが一体となった印刷済みテープの一例を示した図である。
【図１８】余白印刷データが印刷された余白印刷部分と通常印刷データが印刷された通常印刷部分とが一体となった印刷済みテープの一例を示した図である。
【図１９】余白印刷データが印刷された余白印刷部分と通常印刷データが印刷された通常印刷部分とが一体となった印刷済みテープの一例を示した図である。
【符号の説明】
【００８６】
１    テープ印刷装置
３    キーボード
２５    テープ送りモータ
５２    ＣＰＵ
５４    記憶装置
５４ｃ  ワーク領域
５６    入出力インターフェイス
５８    ＦＬＡＳＨ・ＲＯＭ
７０    テープ
７１    印余白印刷部分
７２    通常印刷部分
７３    印刷済みテープ
Ｌ    所定距離
【図１】
2005096103.tif 000003
【図２】
2005096103.tif 000004
【図３】
2005096103.tif 000005
【図４】
2005096103.tif 000006
【図５】
2005096103.tif 000007
【図６】
2005096103.tif 000008
【図７】
2005096103.tif 000009
【図８】
2005096103.tif 000010
【図９】
2005096103.tif 000011
【図１０】
2005096103.tif 000012
【図１１】
2005096103.tif 000013
【図１２】
2005096103.tif 000014
【図１３】
2005096103.tif 000015
【図１４】
2005096103.tif 000016
【図１５】
2005096103.tif 000017
【図１６】
2005096103.tif 000018
【図１７】
2005096103.tif 000019
【図１８】
2005096103.tif 000020
【図１９】
2005096103.tif 000021